(57)【要約】【解決手段】複数本の支持アーム１０を複数本の連結体２０で選択自在に連結する。支持アーム１０は、平行に並んだ一対の腕部１１と、該腕部１１の長手両端において隣接する端部相互を連結する屈曲自在な接続部１２とからなる。支持アーム１０の内部に一対のガススプリングを装着する。ガススプリング３０の伸縮ロッド３１先端に連結されて支持アーム１０の両端部に屈曲自在に装着された接続部１２を設ける。支持アーム１０をユニット化する。接続部１２相互を連結する連結体２０で支持アーム１０を組み合わせ自在に連結する。【効果】工場や病院などの特殊な環境に合わせて使用態様を自由に変更することができる。【選択図】　　　　図１
2004029645.tif 000002
【特許請求の範囲】
【請求項１】
ディスプレイを支持する支持体と、該支持体に連結する屈曲自在な支持アームと、該支持アームを所定の位置に固定する固定基部とを有するユニット型ディスプレイ支持装置において、支持アームの内部に一対のガススプリングを装着し、該ガススプリングの伸縮ロッド先端に連結されて支持アームの両端部に屈曲自在に装着された接続部を設けて支持アームをユニット化し、接続部相互を連結する連結体で支持アームを組み合わせ自在に連結することを特徴とするユニット型ディスプレイ支持装置。
【請求項２】
前記支持アームは、平行に並んだ一対の腕部と、該腕部の長手両端において隣接する端部相互を連結する屈曲自在な接続部とからなり、腕部の長手両端部からガススプリングの伸縮ロッド先端部が突出するように一対のガススプリングを各腕部に夫々装着し、伸縮ロッド先端部を前記接続部に連結し、該接続部がガススプリングの伸縮に伴い支持アームの長手方向に対して片側方向へ直角になるまで屈曲するように設けた請求項１記載のユニット型ディスプレイ支持装置。
【請求項３】
前記支持アームの接続部と、前記ガススプリングの伸縮ロッド先端部との連結位置を調整せしめる位置調整部材を接続部に設けた請求項１又は２記載のユニット型ディスプレイ支持装置。
【発明の詳細な説明】
【０００１】
【発明の属する技術分野】
本発明は、例えば、工場や病院などの特殊な環境で薄型ディスプレイを支持するのに好適なユニット型ディスプレイ支持装置に関する。
【０００２】
【従来の技術】
従来、薄型ディスプレイを支持する装置に、ガススプリングを使用した支持装置は数多く提案されている。例えば、特開２０００−１１２３７５、特開２０００−１７２１８３に記載されたディスプレイ支持装置などが提案されている。
【０００３】
前者のディスプレイ支持装置は、ディスプレイの向きを変えることなく上下に移動させることができるように支持する装置で、テーブルやベッド等の固定用台に、適当なクランプ体で固定する固定基部と、内部にガススプリングを装着して固定基部に連結した第１アームと、第１アームの先端部に連結してディスプレイを装着する第２アームとからなるものである。
【０００４】
後者のディスプレイ支持装置は、ディスプレイを上下及び前後方向に移動させるもので、固定基部に軸着された第１アームと、第１アームの先端に軸着された第２アームと、固定基部から第２アームの基端部に軸着され、ガススプリングを内部に装着した支持アームとから成る装置である。
【０００５】
【発明が解決しようとする課題】
ガススプリングを使用したこれまでのディスプレイ支持装置は、前述の例に限らず、ガススプリングを装着した第１アームと固定基部との関係、又は、第１アームの先端と第２アームとの関係は、いずれも一体不可分の関係にあった。
【０００６】
すなわち、支持装置の伸縮操作にガススプリングを利用するには、机などに固定する固定基部と、ディスプレイを支持する第２アームとのいずれにもガススプリングの伸縮作用を連動させる必要がある。そのため、従来の支持装置では、ガススプリングが固定基部や第２アーム等の各部材から外れることがないように連結し、各部材が一体化して連動するように構成したものである。
【０００７】
ところが、従来の支持装置のように、ガススプリングを介して固定基部から第２アームまでの構成を一体化すると、支持装置の移動方向や伸縮方向が、各アームの形状やサイズに規制される不都合があった。
【０００８】
例えば、従来の支持装置を机などに固定した場合、机の上でディスプレイの位置を変えることは可能でも、アーム全体の長さを変えたり、各アームの屈曲方向を変更することは不可能である。したがって、使用状況に合わせてアームの伸縮する長さを変更したり、あるいは、アームが上方に向かって屈曲するタイプの支持装置を、下向きに屈曲するタイプの支持装置に変更することはできない。このように、従来のディスプレイ支持装置は、限られた一定の範囲で使用することは可能でも、使用場所に応じて可動範囲を広くしたり、アームの屈曲方向を変更することは極めて困難であった。
【０００９】
そのため、例えば工場の製品検査でディスプレイを使用する場合、コンベヤベルトの上を超えてディスプレイを支持したり、反対にコンベヤベルトの下を通して支持するなど、支持装置の使用態様を特殊な環境に合わせて変更することは不可能になっていた。
【００１０】
そこで本発明は上述の課題を解消すべく創出されたもので、例えば、工場や病院などの特殊な環境に合わせて使用態様を自由に変更することができるユニット型ディスプレイ支持装置の提供を目的とするものである。
【００１１】
【課題を解決するための手段】
上述の目的を達成すべく本発明の第１の手段は、ディスプレイを支持する支持体５０と、該支持体５０に連結する屈曲自在な支持アーム１０と、該支持アーム１０を所定の位置に固定する固定基部４０とを有するユニット型ディスプレイ支持装置において、支持アーム１０の内部に一対のガススプリングを装着し、該ガススプリング３０の伸縮ロッド３１先端に連結されて支持アーム１０の両端部に屈曲自在に装着された接続部１２を設けて支持アーム１０をユニット化し、接続部１２相互を連結する連結体２０で支持アーム１０を組み合わせ自在に連結することにある。
【００１２】
第２の手段における支持アーム１０は、平行に並んだ一対の腕部１１と、該腕部１１の長手両端において隣接する端部相互を連結する屈曲自在な接続部１２とからなり、腕部１１の長手両端部からガススプリング３０の伸縮ロッド３１先端部が突出するように一対のガススプリング３０を各腕部１１に夫々装着し、伸縮ロッド３１先端部を前記接続部１２に連結し、該接続部１２がガススプリング３０の伸縮に伴い支持アーム１０の長手方向に対して片側方向へ直角になるまで屈曲するように設けたことにある。
【００１３】
第３の手段は、支持アーム１０の接続部１２とガススプリング３０の伸縮ロッド３１先端部との連結位置を調整せしめる位置調整部材１３を接続部１２に設けたことを課題解消のための手段とする。
【００１４】
本発明によると、ユニット化された支持アーム１０を連結体２０で自由に連結することによって、支持アーム１０の長さや屈曲方向を自由に変更することができる。また、支持アーム１０は、位置調整部材１３の採用によって、他の固定基部４０や支持体５０から独立した状態でガススプリング３０の支持強度を調整するものである。
【００１５】
【発明の実施の形態】
以下、図面を参照して本発明の実施の形態を説明する。本発明支持装置の基本構成は、支持アーム１０、固定基部４０、支持体５０の各部材を連結体２０で連結することで、ディスプレイ支持装置を構成するものである（図１乃至図３参照）。同図では、左右一対の支持アーム１０が上方に向かって屈曲するように連結しているが、図１６乃至図１８に示すように、支持アーム１０の屈曲方向を変えて連結することも可能である。これは、支持アーム１０をユニット化し、連結体２０で組み合わせ自在に連結することによる。
【００１６】
支持アーム１０は、他の部材に対して１本から複数本まで組み合わせることが可能である。支持アーム１０の構造は、平行に並んだ一対の腕部１１と、該腕部１１の長手両端において隣接する端部相互を連結する屈曲自在な接続部１２とからなる（図６乃至図９参照）。図示例では、腕部１１の長手方向に対して延長方向に接続された接続部１２（図８参照）が、片側９０度まで屈曲する接続部１２を示している（図６参照）。
【００１７】
このとき、図７に示すように、接続部１２を４５度に屈曲すると、腕部１１相互の間隔が最大になる。このように、腕部１１の間隔が開閉すると危険である為、両方の腕部１１を両側から覆う被覆プレート１４を配している（図４、図５参照）。この被覆プレート１４は、腕部１１の強度を高める効果もある。更に、接続部１２の両側を連結プレート１５で被覆し、連結体２０をネジ止めするネジ孔１６をこの連結プレート１５に設けている。
【００１８】
そして、一方の腕部１１に装着したガススプリング３０を、腕部１１の一端に装着する接続部１２に連結し、他方の腕部１１に装着したガススプリング３０を、他端部に装着する接続部１２に連結する（図１０参照）。すなわち、腕部１１の長手両端部からガススプリング３０の伸縮ロッド３１先端部が突出するようにして、一対のガススプリング３０を各腕部１１に夫々装着する。次に、伸縮ロッド３１先端部を接続部１２に連結する。すると、接続部１２がガススプリング３０の伸縮に伴って屈曲するようになる。
【００１９】
更に、ガススプリング３０の伸縮ロッド３１先端を接続部１２に連結する際に、この連結位置を調整する位置調整部材１３を接続部１２に設けている（図１０、図１１参照）。図示の位置調整部材１３は、伸縮ロッド３１の先端をスライド自在に連結する杆体状を成している。このような位置調整部材１３によると、伸縮ロッド３１の先端を位置調整部材１３にスライドさせて連結位置を調整し、伸縮ロッド３１の先端に設けた固定ネジ３２を締め付けることで伸縮ロッド３１の先端部が位置調整部材１３を挟着して固定されるものである。したがって、このタイプの位置調整部材１３では、伸縮ロッド３１の長さを無段階に調整することができる。図示例では、図１１の位置に伸縮ロッド３１を連結したときに、最も大きな反力が得られる。
【００２０】
連結体２０は、支持アーム１０相互や、支持アーム１０と他の構成部材、例えば固定基部４０や支持体５０とを連結する部材である（図１乃至図３参照）。図示の連結体２０は、各連結端部を両側から挟むようにして連結ボルト２２にてネジ止めする一対の挟着板２１を使用している。この連結体２０を着脱することにより、連結する支持アーム１０の数を変更したり、支持アーム１０の屈曲方向を変えたりして支持アーム１０の端部を選択して連結体２０で連結するものである。ここで特筆すべき構成は、各支持アーム１０を一直線状に延ばすことができることにある（図２参照）。これは、支持アーム１０をユニット化したことで初めて可能になる使用態様である。また、図１６乃至図１８に示すように、支持アーム１０の屈曲方向を変えることも可能である。しかも、固定基部４０や支持体５０の向きを変えるなどの変更を加えると、極めて多様な使用態様に変更することができる。
【００２１】
固定基部４０は、支持アーム１０を所定の位置に固定する部材で、テーブルや柱など、安定した場所に固定する（図１２参照）。図示例の固定基部４０は、クランプ体６０に固定ボルト４４で固定する固定部４１を設け、この固定部４１から支柱４２を立設し、この支柱４２の上部に連結腕４３を回転自在に連結したものである（図１３参照）。そして、連結腕４３の両側面に、前記連結体２０をネジ止めするネジ孔４５を設けている。
【００２２】
支持体５０は、先端部に薄型ディスプレイを連結支持する部材で、支持体５０の降誕部に連結体２０を介して支持アーム１０を連結する。この支持体５０は、支持アーム１０の先端に連結する連結腕５１を設け、この連結腕５１の両側面に連結体２０をネジ止めするネジ孔５５を設けている（図１４参照）。更に、連結腕５１に立設して回転自在に軸着する支柱５２を設け、この支柱５２の上部に上下揺動自在な支持腕５３を連結する（図１５参照）。そして、支持腕５３の先端部に設けた固定盤５４に薄型ディスプレイを連結する。
【００２３】
【発明の効果】
本発明は、上述の如く構成したことにより当初の目的を達成する。すなわち支持アーム１０の内部に一対のガススプリングを装着し、該ガススプリング３０の伸縮ロッド３１先端に連結されて支持アーム１０の両端部に屈曲自在に装着された接続部１２を設けて支持アーム１０をユニット化し、接続部１２相互を連結する連結体２０で支持アーム１０を組み合わせ自在に連結するので、支持アーム１０の連結数を変更して本発明支持装置の支持範囲を変更したり、あるいは、支持アーム１０の屈曲方向を変更することが可能になった。
【００２４】
また、支持アーム１０は、平行に並んだ一対の腕部１１と、該腕部１１の長手両端において隣接する端部相互を連結する屈曲自在な接続部１２とからなり、腕部１１の長手端部からガススプリング３０の伸縮ロッド３１先端部が突出するように一対のガススプリング３０を各腕部１１に夫々装着し、伸縮ロッド３１先端部を前記接続部１２に連結し、該接続部１２がガススプリング３０の伸縮に伴い支持アーム１０の長手方向に対して片側方向へ直角になるまで屈曲するように設けたことにより、ユニット化された支持アーム１０を自在に組み合わせることが可能になった。この結果、支持アーム１０の長さや屈曲方向を任意に変更でき、工場や病院などの特殊な環境に適応した使用ができるものである。
【００２５】
更に、支持アーム１０の接続部１２とガススプリング３０の伸縮ロッド３１先端部との連結位置を調整せしめる位置調整部材１３を接続部１２に設けたことにより、他の固定基部４０や支持体５０から独立した状態で、支持アーム１０に装着したガススプリング３０の支持強度を調整することができる。したがって、連結体２０によって連結した各支持アーム１０の支持強度についても自由に調整できるので、極めて細かな設定が可能になる。
【００２６】
このように、本発明によると、工場や病院などの特殊な環境に合わせて使用態様を自由に変更することができるなどといった有益な種々の効果を奏するものである。
【図面の簡単な説明】
【図１】本発明の一実施例を示す使用状態を示す側面図である。
【図２】本発明の一実施例を示す使用状態を示す側面図である。
【図３】本発明の一実施例を示す使用状態を示す側面図である。
【図４】本発明の支持アームを示す側面図である。
【図５】本発明の支持アームを示す平面図である。
【図６】本発明の支持アームにおける腕部と接続部とを示す側面図である。
【図７】本発明の支持アームにおける腕部と接続部とを示す側面図である。
【図８】本発明の支持アームにおける腕部と接続部とを示す側面図である。
【図９】本発明の支持アームにおける腕部と接続部とを示す平面図である。
【図１０】本発明の支持アーム内のガススプリングを示す側面図である。
【図１１】本発明の支持アーム内のガススプリングを示す側面図である。
【図１２】本発明の固定基部の一実施例を示す側面図である。
【図１３】本発明の固定基部の一実施例を示す平面図である。
【図１４】本発明の支持体の一実施例を示す側面図である。
【図１５】本発明の支持体の一実施例を示す平面図である。
【図１６】本発明の他の使用例を示す側面図である。
【図１７】本発明の他の使用例を示す側面図である。
【図１８】本発明の他の使用例を示す側面図である。
【符号の説明】
１０　支持アーム
１１　腕部
１２　接続部
１３　位置調整部材
１４　被覆プレート
１５　連結プレート
１６　ネジ孔
２０　連結体
２１　挟着板
２２　連結ボルト
３０　ガススプリング
３１　伸縮ロッド
３２　固定ネジ
４０　連結体
４１　固定部
４２　支柱
４３　連結腕
４４　固定ボルト
４５　ネジ孔
５０　支持体
５１　連結腕
５２　支柱
５３　支持腕
５４　固定盤
５５　ネジ孔
６０　クランプ体
【図１】
2004029645.tif 000003
【図２】
2004029645.tif 000004
【図３】
2004029645.tif 000005
【図４】
2004029645.tif 000006
【図５】
2004029645.tif 000007
【図６】
2004029645.tif 000008
【図７】
2004029645.tif 000009
【図８】
2004029645.tif 000010
【図９】
2004029645.tif 000011
【図１０】
2004029645.tif 000012
【図１１】
2004029645.tif 000013
【図１２】
2004029645.tif 000014
【図１３】
2004029645.tif 000015
【図１４】
2004029645.tif 000016
【図１５】
2004029645.tif 000017
【図１６】
2004029645.tif 000018
【図１７】
2004029645.tif 000019
【図１８】
2004029645.tif 000020